(57)【要約】【課題】混信を排除できる携帯電話機を提案する。【解決手段】音声信号をデジタルデータに変換し、これをパケット化して時分割送受信を行うと共に、同じサービスエリア内での送受信状況を確認し、送受信に使用するタイムスロットが空いているときには、送信すべきデータ中に、自局が送受信のために使用するタイムスロットを示すチャネル番号を挿入して送受信を行うようにする。このチャネル番号を確認するだけで、使用しているタイムスロットの位置や、タイムスロットの空き状態を把握できる。送受信のためのタイムスロットを固定することで、同じサービスエリア内で複数の携帯電話機を使用しても互いに混信を起こすことなく、通話ができる。【選択図】　　　　図４
2004080641.tif 000002
【特許請求の範囲】
【請求項１】
簡易型携帯情報端末装置の送受信方法であって、
情報信号をデジタルデータに変換し、これをパケット化して時分割送受信を行うと共に、
送信すべきデータ中に、情報データの他に、自局が送受信のために使用しているタイムスロットを示すチャネル番号を挿入することを特徴とする簡易型携帯情報端末装置の送受信方法。
【請求項２】
上記携帯情報端末装置は、携帯電話機であって、上記情報信号は音声信号であることを特徴とする請求項１記載の簡易型携帯情報端末装置の送受信方法。
【請求項３】
上記チャネル番号は、送受信すべき１サイクルがＮ（＞１）個に分割されているとき、（Ｎ−１）個の個々のタイムスロットを特定する番号であることを特徴とする請求項１記載の簡易型携帯情報端末装置の送受信方法。
【請求項４】
送信データを受信し、上記タイムスロットを示すチャネル番号より空いているタイムスロットを検出し、空いているタイムスロットがあるときには、そのうちのひとつを用いて送受信を行うようにしたことを特徴とする請求項１記載の簡易型携帯情報端末装置の送受信方法。
【請求項５】
空きタイムスロットが存在しないときには、ビジィー信号が生成されることを特徴とする請求項４記載の簡易型携帯情報端末装置の送受信方法。
【請求項６】
携帯電話機であるとき、上記ビジィー信号は話中信号であることを特徴とする請求項５記載の簡易型携帯情報端末装置の送受信方法。
【請求項７】
情報信号をデジタルデータに変換すると共に、デジタルデータを元の信号に戻すデータ変換手段と、
変換されたデータをパケット化すると共に、これに付属情報を付加するパケットデータ生成手段と、
データの送受信手段と、
上記データ変換手段やパケットデータ生成手段を制御する制御部とを有し、
上記パケットデータ生成手段で付加される上記付属情報には、自局が送受信するために使用しているタイムスロットを示すチャネル番号が含まれることを特徴とする簡易型携帯情報端末装置。
【請求項８】
上記携帯情報端末装置は、携帯電話機であって、上記情報信号は音声信号であることを特徴とする請求項７記載の簡易型携帯情報端末装置。
【請求項９】
上記チャネル番号は、送受信すべき１サイクルがＮ（＞１）個に分割されているとき、（Ｎ−１）個の個々のタイムスロットを特定する番号であることを特徴とする請求項７記載の簡易型携帯情報端末装置。
【請求項１０】
送信データを受信し、上記タイムスロットを示すチャネル番号より空いているタイムスロットを検出し、空いているタイムスロットがあるときには、そのうちのひとつを用いて送受信を行うようにしたことを特徴とする請求項７記載の簡易型携帯情報端末装置。
【請求項１１】
空きタイムスロットが存在しないときには、ビジィー信号が生成されることを特徴とする請求項１０記載の簡易型携帯情報端末装置。
【請求項１２】
携帯電話機であるとき、上記ビジィー信号は話中信号であることを特徴とする請求項１１記載の簡易型携帯情報端末装置。
【発明の詳細な説明】
【０００１】
【発明の属する技術分野】
この発明は、玩具として使用して好適な簡易型携帯情報端末装置の送受信方法および簡易型情報端末装置に関する。詳しくは、時分割式の送受信方式を採用すると共に、送受信すべきパケットデータの中に使用しているタイムスロット（タイムスレッド）を識別できる使用チャネル情報を挿入することで、互いに混信することなく情報の授受を実現できるようにしたものである。
【０００２】
【従来の技術】
近年の技術革新による電子部品の小型化、低廉化が目覚ましい。その結果、電子機器の分野でも、ゲーム機器のようなものは周知のように玩具としての感覚で使用されるようになってきている。しかし、玩具であっても本物と同じような機能を搭載する傾向が強い。例えば携帯電話や、ＰＤＡ（Ｐｅｒｓｏｎａｌ　Ｄｉｇｉｔａｌ　Ａｓｓｉｓｔａｎｔ）などの情報端末装置を考えた場合でも、本物と同じような機能を付けて商品として販売する傾向がますます強くなってきている。因みに、数年前まではビニール紐で結んだおもちゃの電話機や、その形態をまねた携帯電話機などが市場を席巻していた。
【０００３】
おもちゃとしての携帯電話機を考えた場合、電波を利用した通話となる。通話距離としては、監督庁の許可が不要な通話距離となる。その通話距離は障害物のない見通しのよい場所で、例えば１０〜２０ｍ程度であると考えられる。
【０００４】
【発明が解決しようとする課題】
ところで、微弱電波を利用して、おもちゃのような簡易型の携帯電話機を構成する場合でも、１対１の通話が最も基本的であるが、そうした場合、同じ電波を利用した通話であると、近くに同種の携帯電話機を使用しているときには混信を起こしてしまうので、多数の送受信周波数を用意しなければならず、同一の送受信周波数を有効に利用できなくなってしまう。
【０００５】
できるなら、同じ周波数でもＮ対Ｎ（＞１）の同時利用を実現できた方が好ましい。子供たちがグループを組んで遊ぶことを考慮すればなおさらである。おなじ幼稚園のお友達のグループ、近所の仲良しグループ、同じ塾のお友達グループなど、何人かが同時に使用する態様が考えられるからである。そして、同じグループ内では同時に通話しながら遊ぶことが多い。
【０００６】
同じ周波数を使用して通話するには、その送受信方式として時分割方式が考えられる。このとき玩具であったとしても混信することは許されない。通常、このような時分割送受信方式による通信であって本物の携帯電話機による通信の場合には、基地局が時分割送受信をコントロールし、送受信すべきパケットのタイムスロットが互いに重複しないように、それぞれの携帯電話機で使用するタイムスロットを固定（確立）するようなコントロールがなされている。このタイムスロットの確立処理によって混信が発生しないようにしている。しかし玩具の分野ではこのような基地局の概念もなければ、基地局によるコントロールもない。
【０００７】
そこで、この発明はこのような従来の課題を解決したものであって、特に時分割送受信方式によって、それぞれの情報端末装置に対して通話時のタイムスレッドを確立できるように工夫することで、同一サービスエリア内で複数の情報端末装置が同時に使用されたとしても、互いに混信することなく、情報の授受を達成できる簡易型携帯情報端末装置の送受信方法および簡易型携帯情報端末装置を提案するものである。
【０００８】
【課題を解決するための手段】
上述の課題を解決するため、請求項１に記載したこの発明に係る簡易型携帯情報端末装置の送受信方法では、情報信号をデジタルデータに変換し、これをパケット化して時分割送受信を行うと共に、
送信すべきデータ中に、情報データの他に、自局が送受信のために使用しているタイムスロットを示すチャネル番号を挿入することを特徴とする。
【０００９】
請求項７に記載したこの発明に係る簡易型携帯情報端末装置では、情報信号をデジタルデータに変換すると共に、デジタルデータを元の信号に戻すデータ変換手段と、
変換されたデータをパケット化すると共に、これに付属情報を付加するパケットデータ生成手段と、
データの送受信手段と、
上記データ変換手段やパケットデータ生成手段を制御する制御部とを有し、
上記パケットデータ生成手段で付加される上記付属情報には、自局が送受信するために使用しているタイムスロットを示すチャネル番号が含まれることを特徴とする。
【００１０】
この発明では、時分割式送受信方法を採用して通信を行う。そしてＮ対Ｎの通信を可能にする。時分割式に割り当てられた通話単位であるタイムスロットにはその送受信タイミングを示すチャネル番号を割り当てる。携帯電話機の場合には、Ｎは３〜５が好適であるので、例えば４つのタイムスロットで一巡（１サイクル）するときで、そのうち例えば３つのタイムスロットを使用して通話するものとすれば、それぞれのタイムスロットに対してチャネル番号を当てる。一巡するタイムスロット数をＭとすれば、（Ｍ−１）＝Ｎとなる。
【００１１】
そして、最初に通話するときには、まず空いているタイムスロットが存在するかどうかを受信モードにして確認する。全てのタイムスロットが空いているときには、通話する同士のタイムスロットとしてチャネル番号ＣＨ１を当て、このチャネル番号ＣＨ１を示す情報を通話を行う互いのパケットデータ内に挿入して送受信する。これによって、これら２台のタイムスレッドが確立する。
【００１２】
最初に通話を開始した２台の共通のサービスエリア内で、別の携帯電話機同士が通話を行うときも、最初に受信モードにして同じサービスエリア内で使用しているチャネル番号を確認する。そして使用済みのチャネル番号を外して、つまり空いているタイムスロットを利用して通話を開始する。このときも通話している同士は、自己が使用しているチャネル番号をパケットデータ内に挿入する。
【００１３】
このように空いているタイムスロットを利用した通話を行う限り、互いに混信を起こすことなく４台の携帯電話機の通話が可能になる。したがって、同じサービスエリアを使用しても、最大（Ｍ×２）台の携帯電話機を使用して通話することができる。
【００１４】
簡易型携帯電話機と言えども、本物の携帯電話機と類似する機能が搭載されている。搭載されている一例を次に説明する。
（１）着信履歴情報および発信履歴情報
搭載するメモリ手段にもよるが、例えば最新の５件の電話番号を保存する。（２）電話番号の設定
任意の４桁の数字を設定し、これを保存する。
（３）簡易着メロディー（着メロ）作曲機能
音域は例えば２オクターブで、最大音符数は例えば３２音符とする。作曲した着メロはメモリ手段に保存する。
（４）着信ＬＥＤ表示機能
送受信アンテナに着信ＬＥＤを装着できるようにする。
（５）電源は電池使用
１０時間程度の連続通話時間を確保する。電池の他に、太陽電池も併用可能にする。
携帯電話機の場合ではなく、ＰＤＡやその他の携帯情報端末装置の場合も同じような機能を搭載する。
【００１５】
【発明の実施の形態】
続いて、この発明に係る簡易型携帯情報端末装置の送受信方法および簡易型携帯情報端末装置の一実施形態を図面を参照して詳細に説明する。
【００１６】
図１はこの発明を携帯電話機１０に適用した場合である。
図１はこの簡易型携帯電話機１０の要部の系統図を示すもので、この携帯電話機１０には通常の携帯電話機と同じく、その筐体には数字、記号などから構成された複数のキーを有するキーボード２を有する他、ＬＣＤなどを使用した表示部４が設けられている。表示部４には発信電話番号や、受信した電話番号や受信した相手方の氏名、電源（バッテリー）６のレベル、カレンダなどが表示される。電源６としては電池が使用され、１０時間程度の連続通話時間を確保できるような消費電力となるように設計されている。電池の他に、太陽電池を併用することも可能である。またこの筐体内には集音用のマイク１２と、スピーカ４０がそれぞれ内蔵されている。
【００１７】
さて、内蔵されたマイク１２より集音された音声はマイクアンプ１４によって増幅される。マイクアンプ１４にはその出力レベルが一定レベルとなるようなレベルコントロール機能が付与されている。
【００１８】
音声信号はデータ変換部として機能する信号処理部１６に供給される。信号処理部１６はＡ／Ｄ変換部１６ＡとＤ／Ａ変換部１６Ｂとで構成され、音声信号はこのＡ／Ｄ変換部１６Ａで所定ビット数のデジタル信号に変換される。この例では、サンプリング周波数が１０ｋＨｚで、量子化ビット数を８ビットとしたデジタル信号に変換される。音声信号はモノラルである。圧縮処理は行っていないが、場合によってはデジタル音声信号を圧縮することもできる。
【００１９】
このサンプリングおよび量子化処理のためのいわゆるコーデェック処理のために制御部２０から、サンプリング周波数などのコーデェック信号が信号処理部１６に供給される。制御部２０はワンチップ型のマイクロコンピュータが使用され、ここには時分割送受信時におけるタイムスレッドの確立を図るために使用されるプログラムを内蔵したメモリ手段（例えばＲＯＭ）を始めとして、後述するように着信履歴、発信履歴やさらにはメール情報などを保存するためのメモリ手段（例えばＥＥＰＲＯＭ）（何れも図示はしない）などが内蔵されている。この他にも各種プログラムデータを展開したりするワークエリア用のメモリ手段（ＲＡＭなど）３０が外付けされている。
【００２０】
Ａ／Ｄ変換部１６Ａでコーデェック処理されたデジタル音声信号は、パケット生成・分解処理部２２に供給されて、送信に適した信号形態（パケットデータプロトコル）となされた送信用パケットデータが生成される。パケット生成・分解処理部２２は、プログラマブルな小型のロジックデバイス（ＣＰＬＤ：ＣｏｍｐａｃｔＰｒｏｇｒａｍｍａｂｌｅ　Ｌｏｇｉｃ　Ｄｅｖｉｃｅ）が使用され、所定のプロトコルに準拠した送信用パケットデータを生成するほか、受信したパケットデータを元のデジタル音声信号に変換したり、パケットデータに挿入されたチャネル番号など抽出して制御部２０に送出するなどの一連の処理が、付属するワーキング用のメモリ（ＲＡＭなど）２４を使用して行われる。
【００２１】
パケットデータストリームとなされた送信用パケットデータはデータ送受信部２６に供給される。このデータ送受信部２６では、その送信キャリヤとして２．４ＧＨｚ帯の周波数が使用される。デジタルデータの送信であるためこの例ではスペクトラム拡散、例えば直接拡散を使用した送信形態が採用されている。
【００２２】
このスペクトル拡散処理され、所定のタイムスロット内に収められたデジタル信号がアンテナ２８に給電されて、所定電界強度となされて送信される。所定電界強度とは、監督官庁の許可を要しない程度のレベルであって、そのときの伝達距離は見通しのよい場所で１０〜２０ｍ程度である。
【００２３】
一方、アンテナ２８で受信されたデジタル音声信号はデータ送受信部２６で受信および増幅され、その後パケット生成・分解処理部２２に供給されて後述するようなパケットデータストリームから所要のパケットデータが抽出、分離される。分離されたパケットデータのうちデジタル音声信号は信号処理部１６のうちＤ／Ａ変換部１６Ｂに供給されて元の音声信号に戻され、その後オーディオアンプ３８を経てスピーカ４０によって音声が再生される。
【００２４】
上述した簡易型携帯電話機１０には、本物の携帯電話機と類似する機能が搭載されている。搭載されている一例を次に説明する。
（１）着信履歴情報および発信履歴情報
上述したように、搭載するメモリ手段にもよるが、例えば最新の５件の電話番号を保存する。
（２）電話番号の設定
任意の４桁の数字を設定し、これを発信者ＩＤとして保存する。
（３）簡易着メロディー（着メロ）作曲機能
音域は例えば２オクターブで、最大音符数は例えば３２音符とする。作曲した着メロは制御部２０に内蔵されたメモリ手段（ＥＥＰＲＯＭ）に保存する。
（４）着信ＬＥＤ表示機能
送受信アンテナに着信ＬＥＤを装着できるようにする。
【００２５】
さて、この発明では同一キャリヤ周波数を使用してＮ対Ｎの送受信ができるように、時分割送受信方式が採用される。時分割送受信を行う場合、図２Ａのように１巡する時間が例えば１ｍｓｅｃであったときには、送受信の余裕を見込むと１サイクルを４つのタイムスロット（Ｍ＝４）に分割できる。その全てのタイムスロットを通話に使用するのではなく、例えば３つのタイムスロット（Ｎ＝３）を通話用に割り当てると、同一サービスエリア内で同時に使用できるチャネル数は３チャネルとなる。
【００２６】
最初のタイムスロットのチャネル番号をＣＨ１、次のタイムスロットのチャネル番号をＣＨ２そして３番目のチャネル番号をＣＨ３とすれば、最後のタイムスロットはブランクとなる。そして１つのタイムスロット内の時間帯を利用して送信と受信が行われる。各タイムスロットの送受信例を図２Ｂ〜Ｄに示す。
【００２７】
送信すべきデータ中には、情報データの他に、自局が送受信のために使用しているタイムスロットを示すチャネル番号が挿入される。１つのタイムスロット内で送受信されるデジタル信号（パケットデータ）のデータ構造例を図３に示す。
【００２８】
デジタル信号を構成する１つのパケットデータ（最小転送単位）には、送信すべきデジタル音声信号（送信データ）がこの例では６４ｋビットあり、これに各種付属データが付加される。まず、パケットデータの最初を示すヘッダとして機能するプリアンブルデータが例えば８ビット分、その先頭に付加される。
【００２９】
次に、宛先を示す相手先の電話番号を含んだ識別データ（宛先ＩＤ）と、送信側を示す自局電話番号を含む識別データ（送信者ＩＤ）がそれぞれ１２ビット分だけ挿入される。これによって送信元と受信元が確定する。これら識別データＩＤの後に送受信時に使用するチャネル番号が例えば８ビット分挿入される。そして送信データの最後にこの例では、パケットデータの誤りを検出するために誤り検出符号が付される。この誤り検出符号としては周知のＣＲＣ符号（Ｃｙｃｌｉｃ　Ｒｅｄｕｎｄａｎｃｙ　Ｃｈｅｃｋ　Ｃｏｄｅ）が１６ビット分付加されて、パケットデータのデータストリームが完成する。
【００３０】
チャネル番号は通話に利用しようとするタイムスロットの位置（ＣＨ１，ＣＨ２，ＣＨ３）を示す番号であって、チャネル番号に対応したこのタイムスロットは、通話を行う前提として確立しなければならないタイムスレッドであって、次のように割り当てられる。
【００３１】
図２にも示したように、３つのタイムスロット（Ｎ＝３）を使用して時分割送受信を行う場合、最初に同じサービスエリア（通話可能な通信半径をもつエリア）に通話中の携帯電話機がいるかどうかを確認し、同じサービスエリアに通信しようとしている２台の携帯電話機しか存在しない場合には、最初のタイムスロットを通信用として確保する。このとき、チャネル番号ＣＨ１を示すデータが挿入されると共に、制御部２０内のメモリ手段（ＥＥＰＲＯＭ）にはこのチャネル番号ＣＨ１を記憶しておき、送信の都度パケットデータ内に必ず挿入されるように制御される。
【００３２】
そして、別の携帯電話機が互いに共通するサービスエリア内で通話を開始するときでも、最初は受信モードにして同じサービスエリアを使用している携帯電話機が存在するかどうかを全てのチャネル番号をサーチすると共に、チャネル番号の有無によって空きチャネルを確認する。通話中の携帯電話機が存在するときには、空いているタイムスロットが存在するかどうかを受信したチャネル番号によって確認し、空きタイムスロットが存在するときには、空いているチャネル番号ＣＨ２，ＣＨ３のうちチャネル番号ＣＨ２を指定して、そのタイムスロットを使用して通話を行う。
【００３３】
このように通話すべきタイムスロットを自動的に順次割り当てることによって、同じサービスエリア内であっても互いに混信を起こすことなく、相手方との通話を楽しむことができる。上述した例では、同じサービスエリアでの通話は最大３対の携帯電話機の同時使用が可能になる。４対目の携帯電話機が同じサービスエリア内で通信を行おうとしても、空いているタイムスロットが存在しないので、通話することができない。この場合には、最後に同じサービスエリア内でチャネル番号ＣＨ３を用いて通話しようとする携帯電話機同士が話中処理を行う。例えば話中音の送出や、ビジィー状態であることを表示部４に表示できるような情報（話中情報）を挿入することによって、満杯であることを操作者に知らせることができる。
【００３４】
また、例えば３チャネル全てを使用しているときで、そのうち例えばチャネル番号ＣＨ２が空いたとき、このチャネル番号ＣＨ２を使って通話することで同じサービスエリア内でのサービスは満杯になるが、このときはチャネル番号ＣＨ２を使用した携帯電話機同士が話中処理を行うことになる。
【００３５】
なお、上述の例ではチャネル番号ＣＨ３の話中処理が解除されないにも拘わらず、チャネル番号ＣＨ２のタイムスロットを取得して通話できるように構成され、結果としてチャネル番号ＣＨ３とＣＨ２の双方が話中処理を継続することになるが、同じサービスエリア内で通話しようとするときには、必ず空きチャネルをサーチするため、空きチャネル（ＣＨ２）があれば話中モードを無視して通話を開始できるから、結局のところ話中処理されていても空きチャネルがあるときには通話に支障をきたさない。
【００３６】
図４はそのときの通信処理例を示すフローチャートであって、まず通信回線の状況確認を１サイクル分の時間（１ｍｓｅｃ）をかけて行い（ステップ５１）、空きチャネルつまり空いているタイムスロットが存在するときには、そのうちの番号の若い方のタイムスロットを通信用として確保し、タイムスレッド合わせを行う（ステップ５２、５３）。タイムスロットに割り当てられたチャネル番号は制御部２０内に記憶されると共に、送信の都度パケットデータ内に挿入される。
【００３７】
タイムスレッドを確立した後は使用したチャネルが最後の空きチャネルであったかどうかを確認し（ステップ５４）、通信回線の状況確認の結果、同じサービスエリア内での空きチャネルが存在しなくなったとき、したがって最後の空きチャネルであったときには話中音の送出やビジィー表示などの話中情報を挿入する話中処理を行い、そのサービスエリアでの使用ができないことを知らせる（ステップ５５）。その後、通話モードとなりパケットデータの送信が定められたタイムスロットを使用して行われる（ステップ５６）。同じサービスエリア内で通話を行おうとする操作者は表示部４の表示内容からビジィー状態であることが判るので、チャネルが空くまで待機状態となる。実際には通話距離が短いので、目視によっても携帯電話機の使用人数を把握できる。
【００３８】
まだ空きチャネルがあるときにはそのまま送受信処理を行う（ステップ５４，５６）。空きチャネルがなかったときには受信したいずれかの信号より話中情報を検出して話中処理（話中音の送出やビジィー表示）を行って終了する（ステップ５２，５７）。
【００３９】
空きチャネルがない状態で通話が終了すると、その空いたチャネルを利用して通話が可能になるが、そのときもこの空きチャネルを使用することで通話すべきチャネルが満杯になるので話中処理を行うことになる。したがって、全てのチャネルで話中処理が行われることもある。
【００４０】
なお、図３においては宛先ＩＤや送信者ＩＤなどを挿入してパケットデータが構成されているので、チャネル番号を挿入しないでも混信を起こさないようにも考えられるが、宛先ＩＤは単に宛先を特定するためだけに使用されるものであるから、同じサービスエリアに複数台の携帯電話機が同時に使用されると、同じタイムスロットを使用して通話が行われるおそれがあるため混信を起こしてしまう。したがって、チャネル番号を利用して使用するタイムスロットを固定する処理が必要になる。
【００４１】
上述した実施の形態では、送受信の１サイクルを１ｍｓｅｃとして説明し、タイムスロットも最大３つとして説明したが、サンプリング周波数や通信速度によって、１チャネル当たりの送信データも変わってくるので、上述した実施の形態に限られるものではない。
【００４２】
また、上述では、この発明を簡易型の携帯電話機に適用したが、この他にも簡易型ＰＤＡなどの簡易型携帯情報端末装置にもこの発明を適用できる。
【００４３】
【発明の効果】
以上説明したようにこの発明に係る送受信方法および情報端末装置では、時分割送受信方式を採用すると共に、通信に使用するタイムスロットを確立できるようにしたものである。
【００４４】
これによれば、同じサービスエリア内で複数台の情報端末装置を同時に使用した場合であっても、混信することなく通信を行うことができる。このタイムスロットの確立によって、時分割送受信であっても、基地局を持たない通信形態を実現できる。特に、玩具用の携帯電話機の場合にはグループで遊ぶことの多い子供同士でも、手軽に本物と同じような通信を楽しむことができ、情操教育の観点からしても、優れた教材として活用できる。
【００４５】
したがってこの発明に係る簡易型携帯情報端末装置は、玩具用携帯電話機などに適用して極めて好適である。
【図面の簡単な説明】
【図１】この発明に係る送受信方法を実現したこの発明に係る簡易型携帯情報端末装置の実施の形態を示す要部の系統図である。
【図２】時分割送受信におけるタイムスロットの関係を示す図である。
【図３】パケットデータのデータ構造を示す図である。
【図４】通信処理例を示すフローチャートである。
【符号の説明】
１０　簡易型携帯電話機（情報端末装置）
１２　マイク
４０　スピーカ
１６　信号処理部
２０　制御部
４　表示部
２２　パケット生成・分解処理部
２６　送受信部
２８　送受信アンテナ
【図１】
2004080641.tif 000003
【図２】
2004080641.tif 000004
【図３】
2004080641.tif 000005
【図４】
2004080641.tif 000006